(57)【特許請求の範囲】
【請求項１】
衛星を介したデジタル放送波を受信し、前記デジタル放送波を増幅、復調してデジタル放送データに変換する手段と、前記デジタル放送データに付随するデータ付属情報に従って、前記デジタル放送データに多重化された番組データ及び広告データを分離し、記録媒体に前記番組データ及び広告データを記録／再生する手段と、前記デジタル放送データをスピーカ及びディスプレイに出力するため高能率符号化処理が施されたデータをデコードする手段と、前記デジタル放送データのうち前記広告データが前記デコードする手段にて広告として再生されたことを当該広告の視聴履歴として前記記録媒体に格納し、また、前記広告データに含まれたイベントに対するユーザの応答を前記広告のイベントに対する応答履歴として前記記録媒体に格納する、各種情報を管理する手段と、前記視聴履歴と前記応答履歴を管理センターに送信する手段とを備えたことを特徴とする広告視聴評価装置。
【請求項２】
衛星を介したデジタル放送波を受信し、前記デジタル放送波を増幅、復調してデジタル放送データに変換する手段と、前記デジタル放送データを入力し高能率符号化処理が施されたデータをデコード可能なデータに変換する手段と、前記デコード可能なデータをスピーカ及びディスプレイに出力するためデコードする手段と、前記データに含まれる広告が前記デコードする手段にてデコードされたことを当該広告の視聴履歴として前記記録媒体に格納し、また、前記広告データに含まれたイベントに対するユーザの応答を前記広告のイベントに対する応答履歴として前記記録媒体に格納する、各種情報を管理する手段と、前記視聴履歴と前記応答履歴を管理センターに送信する手段とを備えたことを特徴とする広告視聴評価装置。
【請求項３】
衛星を介したデジタル放送波を受信するためのアンテナと、前記アンテナから受信したデジタル放送波を増幅、復調するチューナと、前記チューナで復調されたデジタル放送データを入力し、前記デジタル放送データに付随して送信されたデータ付属情報に従って、デジタル放送データ内に多重化された番組データと広告データを分離するデータ分離部と、前記デジタル放送データを格納する記録媒体と、前記データ分離部により分離した番組データと広告データを入力し、分離された番組データ及び広告データを前記記録媒体に記録再生する記録再生部と、前記記録再生部により前記記録媒体から再生されたデータと前記データ分離部からのデータとを合成するデータ合成部と、前記データ合成部からの高能率符号化処理が施されたデータをデコードするＡＶデコーダと、前記ＡＶデコーダからのデコードされた映像を出力するディスプレイと、前記ＡＶデコーダからのデコードされた音声を出力するスピーカと、前記データ分離部と記録再生部とデータ合成部とＡＶデコーダの動作を制御する制御部と、ユーザの視聴した広告のＩＤや視聴履歴と、前記広告に含まれたイベントに対するユーザの応答した応答履歴とを管理する手段としての広告情報管理部と、前記視聴した広告のＩＤや視聴履歴と、前記応答履歴とを管理センターに送信する手段としてのモデムと、番組及び広告を選択したり、広告内の前記イベントに応えるための操作手段としてのリモコンとを備えたことを特徴とする広告視聴評価装置。
【請求項４】
前記記録媒体を、デジタル放送データの番組データを格納する番組データ記録用領域と、広告データを格納する広告データ記録用領域と、広告の視聴履歴を格納する広告視聴履歴記録用領域から構成したことを特徴とする請求項３記載の広告視聴評価装置。
【請求項５】
衛星を介したデジタル放送波を受信するためのアンテナと、前記アンテナから受信したデジタル放送波を増幅、復調するチューナと、前記チューナで復調されたデジタル放送データを入力し、高能率符号化処理が施されたデータをデコード可能なデータに変換するトランスポートデコーダと、前記トランスポートデコーダからのデータをデコードするＡＶデコーダと、前記ＡＶデコーダからのデコードされた映像を出力するディスプレイと、前記ＡＶデコーダからのデコードされた音声を出力するスピーカと、前記トランスポートデコーダとＡＶデコーダの動作を制御およびユーザの広告視聴内容の情報を管理する制御部と、前記ＡＶデコーダに入力されるユーザの視聴した広告の視聴履歴と、前記広告に含まれたイベントに対するユーザの応答した応答履歴とを格納する広告視聴履歴記録用領域を有する記録媒体と、前記視聴履歴と前記応答履歴を管理センターに送信する手段としてのモデムと、番組及び広告を選択したり、広告内の前記イベントに応えるための操作手段としてのリモコンとを備えたことを特徴とする広告視聴評価装置。
【請求項６】
前記記録媒体の広告視聴履歴記録用領域に、ユーザの視聴した広告の履歴をユーザＩＤに対応させて広告視聴履歴として格納し、前記ユーザＩＤ毎の前記広告視聴履歴に応じて成長するペットをディスプレイに表示させるペット画像を備えたことを特徴とする請求項４または５記載の広告視聴評価装置。
【請求項７】
前記記録媒体の広告視聴履歴記録用領域に、ユーザがリモコン操作によって視聴広告のイベントに回答した応答結果を記録し、前記応答結果に基づく視聴履歴データに応じて表示するペットの成長が促され、前記ペットの成長に自由度を持たせたことを特徴とする請求項４，５または６記載の広告視聴評価装置。
【請求項８】
前記ペット画像を、複数のスポンサー毎に対応するそれぞれのキャラクターを割り当て、ディスプレイに表示することを特徴とする請求項６または７記載の広告視聴評価装置。
【請求項９】
前記ペット画像を、複数の広告毎に対応するそれぞれのキャラクターを割り当て、ディスプレイに表示することを特徴とする請求項６または７記載の広告視聴評価装置。
【請求項１０】
デジタル放送波を衛星へ送信する放送局と、衛星を介したデジタル放送波を受信するためのアンテナと、前記アンテナから受信したデジタル放送波を増幅、復調するチューナと、前記チューナで復調されたデジタル放送データを入力し、デジタル放送データ内の番組データと広告データを分離するデータ分離部と、前記デジタル放送データを記録する記録媒体と、前記データ分離部により分離した番組データと広告データを入力し、分離された番組データ及び広告データを前記記録媒体に記録再生する記録再生部と、前記記録再生部により前記記録媒体から再生されたデータと前記データ分離部からのデータとを合成するデータ合成部と、前記データ合成部からの高能率符号化処理が施されたデータをデコードするＡＶデコーダと、前記ＡＶデコーダからのデコードされた映像を出力するディスプレイと、前記ＡＶデコーダからのデコードされた音声を出力するスピーカと、前記データ分離部と記録再生部とデータ合成部とＡＶデコーダの動作を制御する制御部と、ユーザの視聴した広告のＩＤや視聴履歴と、前記広告に含まれたイベントに対するユーザの応答した応答履歴とを管理する手段としての広告情報管理部と、前記視聴した広告のＩＤや視聴履歴と、前記応答履歴とを管理センターに送信する手段としてのモデムと、番組及び広告を選択したり、広告内の前記イベントに応えるための操作手段としてのリモコンと、前記広告情報管理部で管理される履歴の情報を、前記モデム経由にて受け取り集計・分析を行う管理センターと、前記管理センターの処理結果に基づき広告作成を行うスポンサーとから成ることを特徴とするスポンサーシステム。
【請求項１１】
デジタル放送波を衛星へ送信する放送局と、衛星を介したデジタル放送波を受信するためのアンテナと、前記アンテナから受信したデジタル放送波を増幅、復調するチューナと、前記チューナで復調されたデジタル放送データを入力し、高能率符号化処理が施されたデータをデコード可能なデータに変換するトランスポートデコーダと、前記トランスポートデコーダからのデータをデコードするＡＶデコーダと、前記ＡＶデコーダからのデコードされた映像を出力するディスプレイと、前記ＡＶデコーダからのデコードされた音声を出力するスピーカと、前記トランスポートデコーダとＡＶデコーダの動作を制御およびユーザの広告視聴内容の情報を管理する制御部と、前記ＡＶデコーダに入力されるユーザの視聴した広告の視聴履歴と、前記広告に含まれたイベントに対するユーザの応答した応答履歴とを格納する広告視聴履歴記録用領域を有する記録媒体と、前記視聴履歴と前記応答履歴を管理センターに送信する手段としてのモデムと、番組および広告を選択したり、広告内の前記イベントに応えるための操作手段としてのリモコンと、前記記録媒体に格納される履歴の情報を、前記モデム経由にて受け取り集計・分析を行う管理センターと、前記管理センターの処理結果に基づき広告作成を行うスポンサーとから成ることを特徴とするスポンサーシステム。
【発明の詳細な説明】
【０００１】
【発明の属する技術分野】
本発明は、デジタル放送データ内の広告データの視聴履歴を記録する広告視聴評価装置と、広告の視聴結果をスポンサーに通知するスポンサーシステムに関するものである。
【０００２】
【従来の技術】
近年、デジタル放送は、高能率符号化処理により圧縮された複数の番組のデジタル放送データを時分割多重化した状態でデジタル放送波とし、通信衛星などを介して放送するものであり、既に一部の国において実用化されており、日本においても実用化に向けて種々の技術検討が行われている。
【０００３】
このような多重化されたデジタル放送データである番組は、一般的には視聴することに対して課金されるものであり、予め契約をしたユーザ、または、番組毎に料金を支払ったユーザに対して視聴できるようにされたものである。これに対して従来のテレビ，ラジオ局の民放の番組のように、番組中にコマーシャルメッセージ（以下、ＣＭという）を挿入することによって、課金を行わない番組、または、ＣＭの挿入されない番組より低料金の番組を放映することも考えられている。
【０００４】
ＣＭの挿入方法としては、番組データの一部として広告データを取り扱い、番組データと広告データとを一体として転送，記録，再生等の処理を行う方法が一般的である。
【０００５】
一方、前記デジタル放送においては、従来のアナログ放送に比べ、はるかに多くの番組が同時に放映されるため、ユーザが視聴したいと思う番組すべてをリアルタイムで視聴することは困難になってくる。したがって、記録装置に一時的に記録しておいて、適宜再生して視聴するという視聴方法が不可欠となることが予想される。蓄積装置として、ＨＤＤ（Ｈard Ｄisk Ｄrive）が、記録容量の増大に伴い、映像のデジタル記録用デバイスとして使用されつつある。
【０００６】
【発明が解決しようとする課題】
しかしながら、前記のように番組データと広告データが一体であることは、番組を提供するスポンサーの広告が、広告データの放映時にチャンネルを替えられたり、また番組を記録装置に記録した後に再生される場合は、広告データの部分を早送りされたり、スキップされたりして見てもらえず、そのため、放送事業者において広告の視聴率の低下によりスポンサーからの収入が減少するという問題があった。
【０００７】
また、番組を提供するスポンサーの広告は、従来、不特定多数のユーザに一方的に流すだけであり、どのような階層（性別，年齢，職業等）のユーザがどの広告を見ているか、また効果はどの程度であるのかがわからないため、スポンサーはユーザの好感度の高い広告を作ることが難しく、あるいは、どの番組のスポンサーとなれば、視聴対象とするユーザが見てくれるか等、ユーザの趣向等の詳細が把握できないという問題があった。
【０００８】
本発明は、前記従来技術の問題を解決することに指向するものであり、ユーザが求めている広告を各階層のユーザ毎に応じて把握でき、さらにユーザが広告に、より関心を高める処理を導入することで、広告の視聴率の低下を防止でき、その結果、スポンサーがより好感度の広告を提供することができる広告視聴評価装置およびスポンサーシステムを提供することを目的とする。
【０００９】
【課題を解決するための手段】
この目的を達成するために、本発明に係る広告視聴評価装置およびスポンサーシステムにおける請求項１に記載の広告視聴評価装置は、衛星を介したデジタル放送波を受信し、デジタル放送波を増幅、復調してデジタル放送データに変換する手段と、デジタル放送データに付随するデータ付属情報に従って、デジタル放送データに多重化された番組データ及び広告データを分離し、記録媒体に番組データ及び広告データを記録／再生する手段と、デジタル放送データをスピーカ及びディスプレイに出力するため高能率符号化処理が施されたデータをデコードする手段と、デジタル放送データのうち広告データがデコードする手段にて広告として再生されたことをこの広告の視聴履歴として記録媒体に格納し、また、広告データに含まれたイベントに対するユーザの応答を広告のイベントに対する応答履歴として記録媒体に格納する、各種情報を管理する手段と、視聴履歴と応答履歴を管理センターに送信する手段とを備えたことを特徴とする。
【００１０】
また、請求項２に記載の広告視聴評価装置は、衛星を介したデジタル放送波を受信し、デジタル放送波を増幅、復調してデジタル放送データに変換する手段と、デジタル放送データを入力し高能率符号化処理が施されたデータをデコード可能なデータに変換する手段と、デコード可能なデータをスピーカ及びディスプレイに出力するためデコードする手段と、データに含まれる広告がデコードする手段にてデコードされたことをこの広告の視聴履歴として前記記録媒体に格納し、また、広告データに含まれたイベントに対するユーザの応答を広告のイベントに対する応答履歴として記録媒体に格納する、各種情報を管理する手段と、視聴履歴と応答履歴を管理センターに送信する手段とを備えたことを特徴とする。
【００１１】
また、請求項３に記載の広告視聴評価装置は、衛星を介したデジタル放送波を受信するためのアンテナと、アンテナから受信したデジタル放送波を増幅、復調するチューナと、チューナで復調されたデジタル放送データを入力し、デジタル放送データに付随して送信されたデータ付属情報に従って、デジタル放送データ内に多重化された番組データと広告データを分離するデータ分離部と、デジタル放送データを格納する記録媒体と、データ分離部により分離した番組データと広告データを入力し、分離された番組データ及び広告データを記録媒体に記録再生する記録再生部と、記録再生部により記録媒体から再生されたデータとデータ分離部からのデータとを合成するデータ合成部と、データ合成部からの高能率符号化処理が施されたデータをデコードするＡＶデコーダと、ＡＶデコーダからのデコードされた映像を出力するディスプレイと、ＡＶデコーダからのデコードされた音声を出力するスピーカと、データ分離部と記録再生部とデータ合成部とＡＶデコーダの動作を制御する制御部と、ユーザの視聴した広告のＩＤや視聴履歴と、広告に含まれたイベントに対するユーザの応答した応答履歴とを管理する手段としての広告情報管理部と、視聴した広告のＩＤや視聴履歴と、応答履歴とを管理センターに送信する手段としてのモデムと、番組及び広告を選択したり、広告内のイベントに応えるための操作手段としてのリモコンとを備えたことを特徴とする。
【００１２】
また、請求項４は、請求項３に記載される広告視聴評価装置の前記記録媒体を、デジタル放送データの番組データを格納する番組データ記録用領域と、広告データを格納する広告データ記録用領域と、広告の視聴履歴を格納する広告視聴履歴記録用領域から構成したことを特徴とする。
【００１３】
また、請求項５に記載の広告視聴評価装置は、衛星を介したデジタル放送波を受信するためのアンテナと、アンテナから受信したデジタル放送波を増幅、復調するチューナと、チューナで復調されたデジタル放送データを入力し、高能率符号化処理が施されたデータをデコード可能なデータに変換するトランスポートデコーダと、トランスポートデコーダからのデータをデコードするＡＶデコーダと、ＡＶデコーダからのデコードされた映像を出力するディスプレイと、ＡＶデコーダからのデコードされた音声を出力するスピーカと、トランスポートデコーダとＡＶデコーダの動作を制御およびユーザの広告視聴内容の情報を管理する制御部と、ＡＶデコーダに入力されるユーザの視聴した広告の視聴履歴と、広告に含まれたイベントに対するユーザの応答した応答履歴とを格納する広告視聴履歴記録用領域を有する記録媒体と、視聴履歴と応答履歴を管理センターに送信する手段としてのモデムと、番組及び広告を選択したり、広告内のイベントに応えるための操作手段としてのリモコンとを備えたことを特徴とする。
【００１４】
また、請求項６は、請求項４，５に記載される広告視聴評価装置の前記記録媒体の広告視聴履歴記録用領域に、ユーザの視聴した広告の履歴をユーザＩＤに対応させて広告視聴履歴として格納し、ユーザＩＤ毎の前記広告視聴履歴に応じて成長するペットをディスプレイに表示させるペット画像を備えたことを特徴とする。
【００１５】
また、請求項７は、請求項４，５，６に記載される広告視聴評価装置の前記記録媒体の広告視聴履歴記録用領域に、ユーザがリモコン操作によって視聴広告のイベントに回答した応答結果を記録し、応答結果に基づく視聴履歴データに応じて表示するペットの成長が促され、ペットの成長に自由度を持たせたことを特徴とする。
【００１６】
また、請求項８は、請求項６，７に記載される広告視聴評価装置の前記ペット画像を、複数のスポンサー毎に対応するそれぞれのキャラクターを割り当て、ディスプレイに表示することを特徴とする。
【００１７】
また、請求項９は、請求項６，７に記載される広告視聴評価装置の前記ペット画像を、複数の広告毎に対応するそれぞれのキャラクターを割り当て、ディスプレイに表示することを特徴とする。
【００１８】
また、請求項１０に記載のスポンサーシステムは、デジタル放送波を衛星へ送信する放送局と、衛星を介したデジタル放送波を受信するためのアンテナと、アンテナから受信したデジタル放送波を増幅、復調するチューナと、チューナで復調されたデジタル放送データを入力し、デジタル放送データ内の番組データと広告データを分離するデータ分離部と、デジタル放送データを記録する記録媒体と、データ分離部により分離した番組データと広告データを入力し、分離された番組データ及び広告データを記録媒体に記録再生する記録再生部と、記録再生部により記録媒体から再生されたデータとデータ分離部からのデータとを合成するデータ合成部と、データ合成部からの高能率符号化処理が施されたデータをデコードするＡＶデコーダと、ＡＶデコーダからのデコードされた映像を出力するディスプレイと、ＡＶデコーダからのデコードされた音声を出力するスピーカと、データ分離部と記録再生部とデータ合成部とＡＶデコーダの動作を制御する制御部と、ユーザの視聴した広告のＩＤや視聴履歴と、広告に含まれたイベントに対するユーザの応答した応答履歴とを管理する手段としての広告情報管理部と、
視聴した広告のＩＤや視聴履歴と、応答履歴とを管理センターに送信する手段としてのモデムと、番組及び広告を選択したり、広告内のイベントに応えるための操作手段としてのリモコンと、広告情報管理部で管理される履歴の情報を、モデム経由にて受け取り集計・分析を行う管理センターと、管理センターの処理結果に基づき広告作成を行うスポンサーとから成ることを特徴とする。
【００１９】
また、請求項１１に記載のスポンサーシステムは、デジタル放送波を衛星へ送信する放送局と、衛星を介したデジタル放送波を受信するためのアンテナと、アンテナから受信したデジタル放送波を増幅、復調するチューナと、チューナで復調されたデジタル放送データを入力し、高能率符号化処理が施されたデータをデコード可能なデータに変換するトランスポートデコーダと、トランスポートデコーダからのデータをデコードするＡＶデコーダと、ＡＶデコーダからのデコードされた映像を出力するディスプレイと、ＡＶデコーダからのデコードされた音声を出力するスピーカと、トランスポートデコーダとＡＶデコーダの動作を制御およびユーザの広告視聴内容の情報を管理する制御部と、ＡＶデコーダに入力されるユーザの視聴した広告の視聴履歴と、広告に含まれたイベントに対するユーザの応答した応答履歴とを格納する広告視聴履歴記録用領域を有する記録媒体と、
視聴履歴と応答履歴を管理センターに送信する手段としてのモデムと、番組および広告を選択したり、広告内のイベントに応えるための操作手段としてのリモコンと、記録媒体に格納される履歴の情報を、モデム経由にて受け取り集計・分析を行う管理センターと、管理センターの処理結果に基づき広告作成を行うスポンサーとから成ることを特徴とする。
【００２０】
これらの構成によれば、デジタル放送データの広告を視聴したユーザの視聴履歴を記録し、この視聴履歴に応じ広告に対応するペットの成長等を変化させて、ユーザの関心を高めて広告の視聴を促進させることができる。
【００２１】
また、管理センターにより受信した視聴履歴を集計・分析した結果に基づき、スポンサーはユーザの関心度を把握した広告の作成をすることができる。
【００２２】
【発明の実施の形態】
以下、図面を参照して本発明における実施の形態を詳細に説明する。
【００２３】
図１は本発明の実施の形態１における広告視聴評価装置の構成を示すブロック図である。図１において、広告視聴評価装置１（以下、ＳＴＢ：セットトップボックスという）は、放送局からのデジタル放送波の電波をアンテナ２を介して受信して、ＳＴＢ１の内部用の信号に変換するチューナ３と、デジタル放送データに付随して送信されてくるデータ付属情報に従って、データ分離部４によりデジタル放送データ中の多重化された番組データ及び広告データを分離し、この分離された番組データ及び広告データを大容量記録媒体５（以下、ＡＶ−ＨＤＤという）に格納する。
【００２４】
記録再生部６によって、ＡＶ−ＨＤＤ５に対して番組データ及び広告データの記録再生を行い、データ合成部７ではＡＶ−ＨＤＤ５から再生されたデータとデータ分離部４からのデータを合成する。ＡＶデコーダ８は、データ合成部７からの高能率符号化処理が施されたデータをデコードし、ビデオ信号を出力するディスプレイ１０及びオーディオ信号を出力するスピーカ１１に出力する。また、データ分離部４と記録再生部６とデータ合成部７の動作を制御する制御部９と、広告の視聴履歴等の広告情報を管理する広告視聴履歴管理部１２と、広告の視聴履歴等の各種情報を管理センターに送信するためのモデム１３を備え、番組の選択やデジタル放送の双方向性サービスに利用するリモコン１４とから構成される。
【００２５】
また、図２は大容量記録媒体（ＡＶ−ＨＤＤ）の記録領域の一例を示す図である。図２においてＡＶ−ＨＤＤ５には、放送局から送信され復調されたデジタル放送データをデータ分離部４によって分離した番組データを格納する番組データ領域２１と、広告データを格納する広告データ領域２２と、広告が視聴された履歴データを格納するための広告視聴履歴領域２３とを設けて構成されている。
【００２６】
広告視聴履歴領域２３には、ＳＴＢ１に対応したユーザ情報を表すユーザＩＤ２４と、広告事業者を表すスポンサーＩＤ２５と、視聴される広告を表す広告ＩＤ２６と、該当する広告ＩＤ２６の広告をユーザＩＤ２４を有するユーザによって視聴された回数を表す視聴回数２７と、広告ＩＤ２６の広告内のアンケートやクイズ等のイベントに対しユーザが回答した回数を表すイベント回答回数２８をパラメータとしてリスト化する。
【００２７】
本実施の形態１において、ＡＶ−ＨＤＤ５内の広告ＩＤ２６に対応させて広告の視聴履歴を記録し、さらにユーザに対し広告の視聴を促進させるために、視聴結果に応じてその広告に対応するペットが成長等の変化していき、ユーザの興味を引くことにより、広告の視聴を促すサービスを提供するものである。
【００２８】
初めに、図１，図２を参照しながら広告視聴履歴データの作成について説明する。ＡＶ−ＨＤＤ５内の広告データ領域２２に記録され記録再生部６により再生された広告、もしくはＡＶ−ＨＤＤ５に記録されずにリアルタイムにデータ合成部７に入力された広告は、デジタル放送データのデータ付属情報からスポンサーＩＤ２５と広告ＩＤ２６を検知し、スポンサーＩＤ２５と広告ＩＤ２６を広告視聴履歴領域２３に記録する。
【００２９】
次に同じ広告ＩＤ２６がＡＶデコーダ８に入力されデコード後に、ＳＴＢ１からビデオ信号またはオーディオ信号として出力された場合、広告視聴履歴領域２３の該当する広告ＩＤ２６の視聴回数２７をカウントアップし、以後、同じ手順で各広告ＩＤ２６に対する視聴回数２７をカウントする。
【００３０】
この履歴の記録方法は、通常のアナログ放送の広告と同じであり、実際に放送された広告にユーザが関心を抱いているか否か把握することはできない。そこで、スポンサーは作成した広告に関心をもっているか否かを把握するために、デジタル放送の双方向性を利用して、広告内にクイズやアンケート等を付加して、ユーザからの回答を得るようにした広告が考えられる。
【００３１】
このデジタル放送の双方向性を利用した広告に対して、本実施の形態１のＳＴＢ１では、該当広告ＩＤ２６に対し、ユーザがリモコン１４にて何らかの応答動作を起こした場合、該当広告ＩＤ２６のイベント回答回数２８をカウントアップする。以後、同じ手順で各広告に対するイベント回答回数２８のカウントを行い、広告の視聴履歴をＡＶ−ＨＤＤ５の広告視聴履歴領域２３に記録する。このイベント回答回数２８は、確実に広告を視聴しなければ回答できないためスポンサーにとっては、広告の視聴関心度を知る必要なパラメータとなる。
【００３２】
次に、記録した広告視聴履歴領域２３のデータに基づきユーザに広告の視聴頻度を表すペット画像の表示手段について説明する。
【００３３】
図３は、図２に示すＡＶ−ＨＤＤ５の広告視聴履歴領域２３内に記録された広告視聴の履歴データからペット画像をディスプレイ１０に表示する一例を示す図である。図３において、３１は広告視聴の履歴データ、３２はペット画像リストである。このペット画像リストは本発明のＳＴＢ１（図１参照）購入時に既に、ＡＶ−ＨＤＤ５の広告視聴履歴領域２３に格納されているデータである。
【００３４】
ここでは動作を簡潔に示すために、図３にはユーザＩＤ２４を１種類（使用者は１人）、スポンサーＩＤ２５を２種類、広告ＩＤ２６を各スポンサーＩＤ２５に対して２種類とした視聴結果を示している。
【００３５】
ユーザＩＤ２４のユーザにより広告が視聴されると、該当する広告視聴の履歴データ３１が更新される。広告視聴履歴管理部１２（図１参照）では、広告視聴の履歴データ３１より、各広告ＩＤ２６に対する視聴回数２７とイベント回答回数２８をパラメータとして入力し、そのパラメータから視聴関心度を算出する。視聴関心度がまだ低い場合には幼いペットを、視聴関心度が高まるにつれ徐々に成長したペット画像をペット画像リスト３２から抜き出す。ここでペット画像リスト３２内のＬｖとはペットの成長度を示している。
【００３６】
なお、この視聴関心度としては、視聴回数２７を素直に重視するか、イベント回答回数２８に示す、実際に広告を視聴してそのイベントに回答した回数により、広告に対して視聴関心度を持っているか否か判断し、その算出方法に自由度を持たせて設定することも可能である。
【００３７】
図３に示す場合、４種類の広告ＩＤ２６に対応してペット画像の抜き出しが行われる。ＣＭ＿ＡＡ（スポーツ）についてはペットＰ＿Ａ２，ＣＭ＿ＡＢ（ファッション）についてはペットＰ＿Ｂ５，ＣＭ＿ＢＡ（レジャー）についてはペットＰ＿Ｃ０，ＣＭ＿ＢＢ（映画）についてはペットＰ＿Ｄ１０が抜き出される。
【００３８】
抜き出されたペット画像の情報は、制御部９にて各ペット画像を合成した合成ペット画像３３を作成する。この合成ペット画像３３をＡＶデコーダ８に入力し、実際の番組と同時に重ね合わせてディスプレイ１０に表示する。
【００３９】
以上のように、各広告ＩＤ２６の視聴関心度に応じて、ペットを成長させてユーザに視聴意欲を高めさせるサービスが実現できる。
【００４０】
なお、本実施の形態１では説明を簡略化するために、ユーザＩＤ２４を１種類（使用者は１人）、広告スポンサーＩＤ２５を２種類、広告ＩＤ２６を各スポンサーＩＤ２５に対して２種類としたが、これ以上の種類に対しても同じ手法で実現することができる。
【００４１】
また、この表示するペット画像リスト３２からの抽出は、広告が視聴された該当広告の視聴回数２７もしくはイベント回答回数２８が更新される度、またはＳＴＢ１の電源投入の立ち上げ時になど、その表示頻度はＳＴＢ１の設定により実現できる。この場合にはペット画像リスト３２からの抽出と表示命令を制御部９から発行することで実現する。
【００４２】
前記実施の形態１の説明では、ペットを一例として説明したが、表示するのは動物等のペット以外に擬人化したキャラクターや、広告視聴の履歴データ３１を表やグラフにしたものでも同じ手法で実現でき、またペット画像リスト３２の情報を別途更新可能として変更を行うようにしても良い。
【００４３】
なお、図２に示すＡＶ−ＨＤＤ５内の番組データ領域２１，広告データ領域２２，広告視聴履歴領域２３は可変的に割り当てても同じ手法で実現できる。
【００４４】
次に、本発明の実施の形態２における広告視聴の履歴データによるペットの表示方法について図４を用いて説明する。本実施の形態２における、ＳＴＢ１の構成，ＡＶ−ＨＤＤ５の記録領域および広告視聴の履歴データの作成手段については前記実施の形態１とほぼ同一である。本実施の形態２の特徴は、実施の形態１が各広告に対しペットを割り当て、表示をしているのに対し、各スポンサーに対応して視聴関心度を得るように特徴づけたペットを割り当てて表示する点である。
【００４５】
図４は前記ＡＶ−ＨＤＤ５の広告視聴履歴領域２３内に記録された広告視聴の履歴データからペット画像をディスプレイ１０に表示する一例を示す図である。図４において、３５はペット画像リストである。このペット画像リスト３５は本発明のＳＴＢ１を購入時に既に、ＡＶ−ＨＤＤ５の広告視聴履歴領域２３に格納されているデータである。広告視聴の履歴データ３１については前記実施の形態１と同様なデータとする。
【００４６】
図４に示すように、ある時点でのスポンサーＡの提供する広告はＣＭ＿ＡＡ，ＣＭ＿ＡＢの２種類で、視聴回数はそれぞれ５回，２回、イベント回答回数はそれぞれ０回，２回である。広告視聴履歴管理部１２はこのスポンサーＡの提供する２種類の広告の視聴回数２７とイベント回答回数２８の値をパラメータとして入力し、前記パラメータからスポンサーＡの視聴関心度を算出する。算出した視聴関心度に対応するペット画像をペット画像リスト３５から抽出し、スポンサーＡ用のペットを決定する。スポンサーＢについても同様にスポンサーＢ用のペット画像を決定する。
【００４７】
抜き出されたスポンサーＡ及びスポンサーＢのペット画像の情報は制御部９に送られ、各ペット画像を合成した合成ペット画像３６が作成される。この合成ペット画像３６をＡＶデコーダ８（図１参照）に入力し、実際の番組と同時に重ね合わせてディスプレイ１０に表示する。
【００４８】
以上のことから、各スポンサーの広告に対する視聴関心度に応じて、ペットを成長させてユーザに視聴意欲を高めさせるサービスが実現できる。
【００４９】
なお、ＡＶ−ＨＤＤ５に用意しておくペット画像リストは広告の内容に応じたペットを複数種用意しておき、スポンサーの広告の視聴傾向に応じたペットを割り当てることで、ユーザに広告の視聴意欲をさらに高めさせることもできる。例えば、図４示すスポンサーＢのＣＭ＿ＢＢ（広告ＩＤ）の映画が視聴されている場合には、俳優をモチーフにしたペット画像などを表示させることにより、ユーザの視聴している広告の傾向をユーザにも知らせることができる。
【００５０】
また、実施の形態１と同様に実施の形態２を説明するため、ユーザＩＤ，スポンサーの数を限定したが、これ以上の種類に対しても同じ手法で実現できる。さらに表示するペット画像リスト３５からの抽出を、広告が視聴され該当広告ＩＤ２６の視聴回数２７もしくはイベント回答回数２８が更新される度、またはこのＳＴＢ１の電源投入の立ち上げ時になど、その表示頻度はＳＴＢ１の設定により実現でき、この場合にはペット画像リスト３５からの抽出と表示命令を制御部９から発行することで実現する。
【００５１】
さらに、前記実施の形態１と同様に、ペットを一例として説明したが、表示するのは動物等のペット以外に擬人化したキャラクターや、広告視聴の履歴データ３１を表やグラフで表したものでも同じ手法で実現でき、ＡＶ−ＨＤＤ５内の番組データ領域２１，広告データ領域２２，広告視聴履歴領域２３を可変的に割り当てても同じ手法で実現できることはいうまでもない。
【００５２】
図５は本発明の実施の形態３におけるスポンサーシステムの概略構成を示すブロック図である。図５に示すように、前記実施の形態１で説明したＳＴＢ１を用いてスポンサーシステムを構成することから、図１において説明した構成部材に対応して実質的に同等の機能を有するものには同一の符号を付す。
【００５３】
図５において、スポンサーシステムはＳＴＢ１と、放送事業者のデジタル放送波を送出する放送局４１から衛星４０に飛ばしたデジタル放送波をアンテナ２を介して受信して、ＳＴＢ１内部用の信号に変換するチューナ３と、デジタル放送データに付随して送信されてくるデータ付属情報に従って、データ分離部４によりデジタル放送データ中の多重化された番組データ及び広告データを分離する。
【００５４】
ＡＶ−ＨＤＤ５には分離された番組データ及び広告データを記録格納し、ＡＶ−ＨＤＤ５に対して番組データ及び広告データの記録再生を行う記録再生部６によって、ＡＶ−ＨＤＤ５から再生されたデータとデータ分離部４からのデータをデータ合成部７により合成する。
【００５５】
このデータ合成部７からの高能率符号化処理が施されたデータをＡＶデコーダ８によりデコードし、ＡＶデコーダ８からのビデオ信号を出力するディスプレイ１０およびオーディオ信号を出力するスピーカ１１を備え、さらにデータ分離部４，記録再生部６，データ合成部７の動作を制御する制御部９と、広告の視聴履歴を管理する広告視聴履歴管理部１２と、広告視聴履歴を管理センター４２や広告の各スポンサー４３に送信するためのモデム１３と、番組の選択やデジタル放送波の双方向サービスに利用するリモコン１４と、広告視聴履歴の情報を各ユーザからモデム１３を経由して受け取り、その情報の集計および分析を行う管理センター４２と、処理された広告視聴履歴の情報を受けるスポンサー４３で構成される。
【００５６】
また、本実施の形態３は、ＡＶ−ＨＤＤ５の記録領域および広告視聴の履歴データ３１の作成手段については前記実施の形態１と同一であり、実施の形態１において生成した広告視聴の履歴データ３１を管理センター４２及びスポンサー４３にモデム１３を経由してフィードバックしている。
【００５７】
図６はＳＴＢ１からの広告視聴の履歴データを管理センター４２にフィードバックする一例を示す図である。図６において、ＡＶ−ＨＤＤ５の広告視聴履歴領域２３に格納される前記実施の形態１の方法で生成した広告視聴の履歴データ３１はモデム１３を介して管理センター４２に送信される。各ユーザから送られてきた履歴データ３１のユーザＩＤ２４，スポンサーＩＤ２５，広告ＩＤ２６，視聴回数２７，イベント回答回数２８を集計・分析することにより、管理センター４２は、人気のある広告，関心度の高い広告等の情報を把握することができる。
【００５８】
また、管理センター４２は広告視聴の履歴データ３１を各スポンサーＩＤ２５毎に集計し、スポンサーＩＤ２５に対応するスポンサーに対して、その広告視聴の履歴データ３１や、管理センター４２において集計・分析した集計結果などを送信することができ、さらに広告の効果，広告に対するユーザの趣向等を含めた提案も可能となる。
【００５９】
これらの結果に基づき、スポンサーの作成した広告に関心を寄せているユーザに応じて、広告内容の充実を図ることや、ユーザの所望するプレゼント、あるいは管理センター（放送局を有する放送事業者を含め）と連携して番組を視聴するための月間契約料を安くするなど、ユーザに対して恩恵を与えてより広告活動を活発にすることもできる。
【００６０】
なお、管理センター４２が各ＳＴＢ１から広告視聴の履歴データ３１を取得するのは、各ユーザにおいてＳＴＢ１の電源投入の立ち上げ時、実際の番組の放送が終了した時点、管理センターにおいて履歴データ３１を集計・分析する要望があった場合など、その頻度の設定は自由に行うことができる。また、ＳＴＢ１の主電源がオンの状態であればいつでも実現でき、さらに、前記実施の形態１，２におけるディスプレイに表示させるペット画像リストについて、履歴データ３１を取得する際に、そのペット画像の情報更新を行ってユーザの趣向を反映させることができる。
【００６１】
以上の構成により、ユーザの広告視聴履歴結果を管理センター及びスポンサーにフィードバックして、この結果に基づきスポンサーはユーザの広告に対する視聴関心度を把握することができ、より活発な広告活動を実現できる。
【００６２】
図７は本発明の実施の形態４における広告視聴評価装置の構成を示すブロック図である。図７において、広告視聴評価装置５１（以下、ＳＴＢ：セットトップボックスという）は、放送局からのデジタル放送波をアンテナ２を介して受信して、ＳＴＢ５１内部用の信号に変換するチューナ５３と、デジタル放送データを入力し、高能率符号化処理が施されたデータをデコード可能な信号に変換するトランスポートデコーダ５４と、トランスポートデコーダ５４からのデータをデコードするＡＶデコーダ５８と、及びトランスポートデコーダ５４とＡＶデコーダ５８の動作を制御する制御部５９とを備えている。
【００６３】
さらに、ＡＶデコーダ５８からのビデオ信号を出力するディスプレイ１０及びオーディオ信号を出力するスピーカ１１と、番組の選択やデジタル放送における双方向サービスに利用するリモコン１４と、広告視聴履歴を記録する記録媒体５５と、広告視聴履歴を管理センターやスポンサーに送信するためのモデム６３とを備え構成されている。以上のように、本実施の形態４の構成は前記実施の形態１の図１に示すＡＶ−ＨＤＤ５を使用していない。
【００６４】
また、図８は記録媒体５５の記録領域の一例を示す図である。図８において、記録媒体５５には広告が視聴された履歴データを記録するための広告視聴履歴領域７３を設けている。そして広告視聴履歴領域７３には、ＳＴＢ５１に対応したユーザ情報を表すユーザＩＤ７４と、広告事業者を表すスポンサーＩＤ７５と、広告事業者の広告に応じた広告ＩＤ７６と、該当する広告ＩＤ７６の広告をユーザＩＤ７４のユーザにより視聴された回数を表す視聴回数７７と、広告ＩＤ７６の広告内のアンケートやクイズ等イベントに対してユーザが回答した回数を表すイベント回答回数７８をパラメータとしてリスト化する。
【００６５】
本実施の形態４において、記録媒体５５内に広告ＩＤ７６に対応させて広告の視聴履歴を記録し、さらにユーザに広告の視聴を促進させるために、視聴結果に応じてその広告に対応するペットが成長等の変化をして、ユーザの興味を引くことにより、その広告の視聴を促すサービスを提供する。
【００６６】
初めに、図７，図８を参照しながら広告視聴の履歴データの作成について説明する。リアルタイムにトランスポートデコーダ５４に入力された広告データはデジタル放送データの付属情報からスポンサーＩＤ７５と広告ＩＤ７６を検知し、スポンサーＩＤ７５と広告ＩＤ７６を記録媒体５５の広告視聴履歴領域７３に記録する。
【００６７】
次に同じ広告ＩＤ７６がＡＶデコーダ５８に入力されデコード後、ＳＴＢ５１からビデオ信号またはオーディオ信号の出力により、広告視聴履歴領域７３の該当する広告ＩＤ７６の視聴回数７７をカウントアップし、以後同じ手順で各広告ＩＤ７６に対する視聴回数７７をカウントする。
【００６８】
この履歴の記録方法は、通常のアナログ放送の広告と同じく実際に放送された回数を記録するのみで、ユーザの広告に対する関心を把握することができない。そこで、スポンサーの広告に関心をもっているか否かを把握するため、デジタル放送の双方向性を利用して、広告内にクイズやアンケート等、ユーザからの回答を得るようにした広告も考えられる。
【００６９】
このような双方向性の広告に対して、本実施の形態４のＳＴＢ５１では、該当広告ＩＤ７６に対し、ユーザがリモコン１４から何からの応答を起こした場合、該当広告ＩＤ７６のイベント回答回数７８をカウントアップして記録する。以後同じ手順で各広告に対するイベント回答回数７８をカウントする。
【００７０】
このイベント回答回数７８は、確実に広告を視聴しなければ、回答できないためスポンサーにとっては、広告の視聴関心度を知る必要なパラメータとなる。
【００７１】
以上の手順で、広告の視聴履歴を記録媒体５５の広告視聴履歴領域７３に記録する。
【００７２】
次に、記録した広告視聴履歴領域７３のデータからユーザに広告の視聴頻度をペット画像にて表示する手段について説明する。図９は前記記録媒体の広告視聴履歴領域内に記録された広告視聴の履歴データからペット画像をディスプレイに表示する一例を示す図である。
【００７３】
図９において、８１は記録媒体５５の広告視聴履歴領域７３内に記録された広告視聴の履歴データ、８２はペット画像リストである。このペット画像リスト８２はＳＴＢ５１を購入時に既に、記録媒体５５の広告視聴履歴領域７３に格納されているデータである。また、動作を簡潔に示すために、ユーザＩＤ７４を１種類（使用者は１人）、スポンサーＩＤ７５を２種類、広告ＩＤ７６を各スポンサーＩＤ７５毎に２種類とする。
【００７４】
ユーザＩＤ７４のユーザにより広告が視聴されると、該当する広告視聴の履歴データ８１が更新される。いま、図９に示すような視聴結果とすると、制御部５９（図７参照）では、広告視聴の履歴データ８１より、各広告ＩＤ７６に対する視聴回数７７とイベント回答回数７８をパラメータとして入力し、そのパラメータから視聴関心度を算出する。この算出結果に基づき、視聴関心度がまだ低い場合には幼いペットを、視聴関心度が高まるにつれ徐々に成長したペットをペット画像リスト８２から抜き出す。ここでペット画像リスト８２内のＬｖとはペットの成長度を示している。
【００７５】
なお、この視聴関心度は、視聴回数７７を素直に重視するか、イベント回答回数７８を参照して、実際に広告を視聴してイベントに応答することにより関心度を持っているとみなすなど、その算出方法には自由度を持たせ設定することも可能である。
【００７６】
図９の場合には、４種類の広告ＩＤ７６に対してペット画像の抜き出しが行われる。ＣＭ＿ＡＡ（スポーツ）についてはペットＰ＿Ａ２，ＣＭ＿ＡＢ（ファッション）についてはペットＰ＿Ｂ５，ＣＭ＿ＢＡ（レジャー）についてはペットＰ＿Ｃ０，ＣＭ＿ＢＢ（映画）についてはペットＰ＿Ｄ１０が抜き出される。
【００７７】
抜き出されたペット画像の情報は制御部５９にて各ペット画像を合成した合成ペット画像８３を作成する。この合成ペット画像８３をＡＶデコーダ５８に入力し、実際の番組と同時に重ね合わせてディスプレイ１０に表示する。
【００７８】
以上のように、各広告ＩＤ７６の視聴関心度に応じて、ペットを成長させてユーザに視聴意欲を高めさせることを実現することができる。
【００７９】
なお、本実施の形態４では説明を簡略化するために、ユーザＩＤ７４を１種類（使用者は１人）、スポンサーＩＤ７５を２種類、広告ＩＤ７６を各スポンサーＩＤ７５に対して２種類としたが、これ以上の種類に対しても同じ手法で実現できる。
【００８０】
また、表示するペットのペット画像リスト８２からの抽出は、広告が視聴され該当する広告ＩＤ７６の視聴回数７７もしくはイベント回答回数７８が更新される度、またはこのＳＴＢ５１の電源投入による立ち上げ時になど、その頻度はＳＴＢ５１の設定により実現できる。この場合にはペット画像リスト８２からの抽出と表示命令を制御部５９から発行することで実現する。
【００８１】
本実施の形態４では、ペットを一例として説明したが、表示するのは動物等のペット以外に擬人化したキャラクターや広告視聴の履歴データ８１を表やグラフにしたものであっても良く、広告に対する視聴関心度に応じて、ユーザに視聴意欲を高めさせるサービスを実現できる。
【００８２】
図１０は本発明の実施の形態５におけるスポンサーシステムとの概略構成を示すブロック図である。本実施の形態５において、前記実施の形態４の図８，図９で説明した記録媒体５５の記録領域および広告視聴の履歴データ８１の作成手段と同一であり、生成した広告視聴の履歴データ８１を管理センター４２及びスポンサー４３にモデム６３を経由しフィードバックしている。
【００８３】
図１０に示すスポンサーシステムは、ＳＴＢ５１において、放送事業者の有する放送局４１から衛星４０に飛ばしたデジタル放送波をアンテナ２を介して受信して、ＳＴＢ５１内部用の信号に変換するチューナ５３と、デジタル放送データを入力し、高能率符号化処理が施されたデータをデコード可能な信号に変換するトランスポートデコーダ５４と、トランスポートデコーダ５４からのデータをデコードするＡＶデコーダ５８と、トランスポートデコーダ５４とＡＶデコーダ５８の動作を制御する制御部５９と、ＡＶデコーダ５８からのビデオ信号を出力するディスプレイ１０及びオーディオ信号を出力するスピーカ１１と、番組の選択やデジタル放送の双方向サービスに利用するリモコン１４と、広告視聴履歴を記録する記録媒体５５と、広告視聴履歴の情報を送信するためのモデム６３と、広告視聴履歴の情報を各ユーザからモデム６３経由で受け取り集計及び分析を行う管理センター４２と、広告主であるスポンサー４３とで構成される。
【００８４】
図１１は広告視聴評価装置からの広告視聴の履歴結果を管理センターにフィードバックする一例を示す図である。図１１において、記録媒体５５の広告視聴履歴領域７３にある生成した広告視聴の履歴データ８１はモデム６３を介して管理センター４２に送信される。管理センター４２は、各ユーザのＳＴＢ５１から送られてきたユーザＩＤ７４，スポンサーＩＤ７５，広告ＩＤ７６，視聴回数７７，イベント回答回数７８を集計・分析する。これにより、管理センター４２において、人気のある広告や視聴関心度の高い広告等の情報を把握することができる。また、管理センター４２は広告視聴の履歴データ８１のスポンサーＩＤ７５を集計し、スポンサーＩＤ７５に対応するスポンサー４３に対して、その広告視聴履歴や管理センター４２で集計・分析した集計結果などを送信することができ、さらに広告の効果や、広告に対するユーザの趣向等を含めた提案も可能となる。
【００８５】
これらの結果に基づき、スポンサーの作成した広告に関心を寄せているユーザに応じて、さらに広告内容を充実させたり、ユーザの趣向に合わせたプレゼント、あるいは管理センター（放送局を有する放送事業者を含め）と連携して番組を視聴する月間契約料を安くするなど、ユーザに対して恩恵を与えるなど、より広告活動を活発にすることもできる。
【００８６】
なお、管理センター４２が各ＳＴＢ５１から広告視聴の履歴データ８１を取得するのは、各ユーザのＳＴＢ５１の電源起動の立ち上げ時、実際の番組の放送が終了した時点、管理センター４２がデータを集計・分析する要望があった場合など、その頻度の設定は自由に行え、ＳＴＢ５１の主電源がオンの状態であればいつでも実現できる。
【００８７】
以上の構成により、ユーザの広告視聴履歴結果を管理センター４２及びスポンサー４３にフィードバックし、スポンサーは広告に関するユーザの関心度を把握することができ、より活発な広告活動を実現することができる。
【００８８】
【発明の効果】
以上説明したように、本発明によれば、デジタル放送における各広告あるいは各スポンサーに対する視聴関心度に応じて、ペットを成長させる表示を行いユーザに広告への関心をより高める処理を導入することで、広告の視聴率の低下を防止すると共にユーザの広告に対する視聴意欲を高めさせるサービスを実現することができる。
【００８９】
また、ユーザの広告視聴履歴の結果を管理センター及びスポンサーにフィードバックすることにより、スポンサーにおいては、ユーザの広告に対する視聴関心度を把握でき、より活発な広告活動を実現することができるという効果を奏する。
【図面の簡単な説明】
【図１】本発明の実施の形態１における広告視聴評価装置の構成を示すブロック図
【図２】本発明の実施の形態１における大容量記録媒体（ＡＶ−ＨＤＤ）の記録領域の一例を示す図
【図３】本発明の実施の形態１における大容量記録媒体（ＡＶ−ＨＤＤ）の広告視聴履歴領域内に記録された広告視聴の履歴データからペット画像をディスプレイに表示する一例を示す図
【図４】本発明の実施の形態２における大容量記録媒体（ＡＶ−ＨＤＤ）の広告視聴履歴領域内に記録された広告視聴の履歴データからペット画像をディスプレイに表示する一例を示す図
【図５】本発明の実施の形態３におけるスポンサーシステムの概略構成を示すブロック図
【図６】本発明の実施の形態３における広告視聴評価装置からの広告視聴の履歴データを管理センターにフィードバックする一例を示す図
【図７】本発明の実施の形態４における広告視聴評価装置の構成を示すブロック図
【図８】本発明の実施の形態４における記録媒体の広告視聴履歴領域の一例を示す図
【図９】本発明の実施の形態４における記録媒体の広告視聴履歴領域内に記録された広告視聴の履歴データからペット画像をディスプレイに表示する一例を示す図
【図１０】本発明の実施の形態５におけるスポンサーシステムの概略構成を示すブロック図
【図１１】本発明の実施の形態５における広告視聴評価装置からの広告視聴の履歴結果を管理センターにフィードバックする一例を示す図
【符号の説明】
１，５１  広告視聴評価装置（ＳＴＢ）
２  アンテナ
３，５３  チューナ
４  データ分離部
５  大容量記録媒体（ＡＶ−ＨＤＤ）
６  記録再生部
７  データ合成部
８，５８  ＡＶデコーダ
９，５９  制御部
１０  ディスプレイ
１１  スピーカ
１２  広告視聴履歴管理部
１３，６３  モデム
１４  リモコン
２１  番組データ領域
２２  広告データ領域
２３，７３  広告視聴履歴領域
２４，７４  ユーザＩＤ
２５，７５  スポンサーＩＤ
２６，７６  広告ＩＤ
２７，７７  視聴回数
２８，７８  イベント回答回数
３１，８１  履歴データ
３２，３５，８２  ペット画像リスト
３３，３６，８３  合成ペット画像
４０  衛星
４１  放送局
４２  管理センター
４３  スポンサー
５４  トランスポートデコーダ
５５  記録媒体
【図１】
0004696371.tif 000002
【図２】
0004696371.tif 000003
【図３】
0004696371.tif 000004
【図４】
0004696371.tif 000005
【図５】
0004696371.tif 000006
【図６】
0004696371.tif 000007
【図７】
0004696371.tif 000008
【図８】
0004696371.tif 000009
【図９】
0004696371.tif 000010
【図１０】
0004696371.tif 000011
【図１１】
0004696371.tif 000012